(57)【要約】【課題】直射日光等を浴びることによりヘルメットの内側の温度が上昇するのを防止する反射断熱性に優れたヘルメットを提供する。【解決手段】ヘルメット本体１の少なくとも外側の面に、チタン酸化物と雲母とアクリル樹脂とから成る反射下地層２と、該反射下地層の上面に難燃剤とチタン酸化物と雲母と断熱材とアクリル樹脂とポリウレタン樹脂との共重合体から成る反射断熱層３と、該反射断熱層の上面に顔料と脂肪族ウレタン樹脂とから成る表面被覆層４とを形成する。【選択図】　　　　図２
2004143646.tif 000002
【特許請求の範囲】
【請求項１】
ヘルメット本体（１）の少なくとも外側の面に、チタン酸化物と雲母とアクリル樹脂とから成る反射下地層（２）と、該反射下地層の上面に難燃剤とチタン酸化物と雲母と断熱材とアクリル樹脂とポリウレタン樹脂との共重合体から成る反射断熱層（３）と、該反射断熱層の上面に顔料と脂肪族ウレタン樹脂とから成る表面被覆層（４）とが形成されていることを特徴とする反射断熱性に優れたヘルメット。
【請求項２】
反射下地層（２）の厚さが、３０〜５００μｍである請求項１に記載の反射断熱性に優れたヘルメット。
【請求項３】
反射断熱層（３）の厚さが、３０〜４００μｍである請求項１又は２に記載の反射断熱性に優れたヘルメット。
【請求項４】
表面被覆層（４）の厚さが、３０〜３００μｍである請求項１から３の何れか１項に記載の反射断熱性に優れたヘルメット。
【発明の詳細な説明】
【０００１】
【産業上の利用分野】
本発明は、直射日光等を浴びることによりヘルメットの内側の温度が上昇するのを防止する反射断熱性に優れたヘルメットに関するものである。
【０００２】
【従来の技術】
一般に工事現場や工場等において作業者等は頭部を守るためにヘルメットの着用が義務付けられており、また自動二輪車や原動機付自転車等を運転する際においても運転者や同乗者はヘルメットの着用が法令により義務付けられているので、作業者や運転者等は現場で作業を行ったり運転したりする際には如何なる気候条件であっても頭部を守るために必ずヘルメットを着用しなければならない。
【０００３】
しかしながら、特に日差しの強い夏期の晴天時においてはヘルメットの外面に直射日光等が当たることによりヘルメットの内側の温度が異常に上昇するので、内側の温度が異常に上昇したヘルメットを着用している作業者や運転者等は汗等によって蒸れたりするので非常に暑苦しく不快になるばかりでなく、熱中症になって倒れてしまったり、暑さのために集中力が欠如することにより作業ミスや運転ミスが生じて作業中の事故や交通事故等を起こしてしまったりするという問題があった。
【０００４】
そこで、このようなヘルメットの内側の温度上昇を緩和させるために、例えば通風口等の開口部を設けて換気性を向上させたヘルメット（例えば、特許文献１及び特許文献２参照。）や、内側に保冷マットを着脱自在に内装したヘルメット（例えば、特許文献３参照。）等が提案された。
【０００５】
しかしながら、通風口等の開口部を設けて換気性を向上させたヘルメットは、自動二輪車等の走行時には走行風が通風口等の開口部より流入することによってルメットの内側の温度上昇を緩和させることが可能であるが、自動二輪車等の停車時や渋滞時においては走行風が発生しないのでヘルメットの内側の温度上昇を緩和させることができないという欠点があると共に、工事現場や工場等において作業を行う際には一定の場所で作業することが多く通風口等の開口部より空気が流入することが殆どないので、ヘルメットの内側の温度上昇を緩和させることができないという欠点があった。
【０００６】
そして、内側に保冷マットを着脱自在に内装したヘルメットは、保冷剤が冷却効果を奏している一定時間内においてはヘルメットの内側の温度上昇を緩和させることが可能であるが、保冷剤の冷却効果がなくなるとヘルメットの内側の温度が急激に上昇するという欠点があると共に、保冷剤の冷却効果がなくなった場合には新たに保冷剤を交換しなければならなく手間がかかるばかりでなく、保冷マットを内装したことによってヘルメットの重量が増加するという欠点もあった。
【０００７】
また、ヘルメットの外側表面に断熱塗料を塗布したものも提案されている（例えば、特許文献４参照。）。しかしながら、具体的にどのような断熱塗料がヘルメットの内側の温度上昇を緩和させるのに有効且つ好適であるか、またどのような断熱塗料を用いれば塗装の欠けや剥がれ等が生じずに従来の塗装と同等な耐久性を得ることができるかが未だ解明されていないという欠点があった。
【０００８】
【特許文献１】
特開平１１−１８９９１０号公報
【特許文献２】
特開２００２−６９７３８号公報　（図８）
【特許文献３】
特開２０００−９６３３３号公報
【特許文献４】
特開２０００−２７０２０号公報
【０００９】
【発明が解決しようとする課題】
本発明は、従来技術の前記欠点を解消し、直射日光等を浴びることによりヘルメットの内側の温度が上昇するのを防止する反射断熱性に優れたヘルメットを提供することを課題とする。
【００１０】
【課題を解決するための手段】
本発明者は前記課題を解決すべく鋭意研究の結果、ヘルメット本体の少なくとも外側の面に、塗装する際の下地となると共に直射日光等を反射する反射下地層を形成し、その反射下地層の上面に直射日光等を反射すると共にヘルメットの外側の面の熱が内側へ伝導しないように断熱する共重合体から成る反射断熱層を形成し、更にその反射断熱層の上面に反射下地層及び反射断熱層を保護し耐久性を高める表面被覆層を形成すれば、直射日光等によるヘルメットの内側の温度上昇を防止することができると共に、塗装の欠けや剥がれ等が生じずに従来の塗装と同等な耐久性を得ることができることを究明して本発明を完成したのである。
【００１１】
即ち本発明は、ヘルメット本体の少なくとも外側の面に、チタン酸化物と雲母とアクリル樹脂とから成る反射下地層と、該反射下地層の上面に難燃剤とチタン酸化物と雲母と断熱材とアクリル樹脂とポリウレタン樹脂との共重合体から成る反射断熱層と、該反射断熱層の上面に顔料と脂肪族ウレタン樹脂とから成る表面被覆層とが形成されていることを特徴とする反射断熱性に優れたヘルメットである。
【００１２】
そして、反射下地層の厚さが３０〜５００μｍであったり、反射断熱層の厚さが３０〜４００μｍであったり、表面被覆層の厚さが３０〜３００μｍであったりすれば、より確実にヘルメットの内側の温度上昇を防止することができると共に耐久性が増すことも究明したのである。
【００１３】
【発明の実施の態様】
以下、図面により本発明に係る反射断熱性に優れたヘルメットについて詳細に説明する。
図１は反射断熱性に優れたヘルメットの１実施例の断面説明図、図２は図１のＡ部断面拡大説明図、図３は実施例１及び比較例１のヘルメットの外側の面、内側の面及び内部の温度の変化を示す図である。
【００１４】
図面中、１はヘルメット本体であって、図１及び図２に示す如くその少なくとも外側の面に後述する反射下地層２、反射断熱層３及び表面被覆層４が順次形成されている。このヘルメット本体１と材質してはどのようなものであってもよいが、外側よりの衝撃力に強い硬化プラスティックや繊維強化プラスティック等の材質が好ましく使用される。
【００１５】
２はチタン酸化物と雲母とアクリル樹脂とから成る反射下地層であって、ヘルメット本体１の少なくとも外側の面に形成され、後述する反射断熱層３をこの反射下地層２の上面に形成する際に下地としての役目を果たすと共に、含有されているチタン酸化物及び雲母により後述する反射断熱層３において反射しきれなかった直射日光等を反射させる役目を果たす。
【００１６】
この反射下地層２としては、チタン酸化物と雲母との重量比が１：１〜１．５となるように配分されていて塗装前の液体状態でチタン酸化物と雲母との重量割合が３０〜４０重量％である塗料を塗布乾燥させたものが好ましく使用できる。この反射下地層２の厚さは３０〜５００μｍであれば、確実にヘルメット本体１の内側の温度上昇を防止することができると共に耐久性が増して好ましい。
【００１７】
３は難燃剤とチタン酸化物と雲母と断熱材とアクリル樹脂とポリウレタン樹脂との共重合体から成る反射断熱層であって、反射下地層２の上面に形成され、含有されているチタン酸化物及び雲母により直射日光等を反射する役目を果たすと共に、含有されている難燃剤及び断熱材によりヘルメットの外側の面の熱が内側へ伝導しないように断熱する役目を果たす。
【００１８】
この反射断熱層３としては、チタン酸化物と雲母との重量比が１：２〜２．５となるように配分されていて塗装前の液体状態でチタン酸化物と雲母との重量割合が１５〜２５重量％である塗料を塗布乾燥させたものが好ましく使用できる。この場合、難燃剤の重量はチタン酸化物の重量と略同程度であればよい。この反射断熱層３の厚さは３０〜４００μｍであれば、確実にヘルメットの内側の温度上昇を防止することができると共に耐久性が増して好ましい。
【００１９】
４は顔料と脂肪族ウレタン樹脂とから成る表面被覆層であって、反射断熱層３の上面に形成され、反射下地層２及び反射断熱層３を風雨等より保護し耐久性を高める役目を果たす。
【００２０】
この表面被覆層４としては、顔料と脂肪性ウレタン樹脂との重量比が１：３．５〜４．５となるように配分されていて脂肪性ウレタン樹脂と略同じ重量の溶剤により塗装前の液体状態のものが好ましく使用できる。この表面被覆層４の厚さは３０〜３００μｍであれば、確実にヘルメットの内側の温度上昇を防止することができると共に耐久性が増して好ましい。
【００２１】
【実施例】
次に、実施例及び比較例によって更に本発明に係る反射断熱性に優れたヘルメットについて説明する。
先ず、実施例１として硬化プラスティック製の白色の作業用ヘルメット（品名：ＭＰ型ＰＭ−Ｐ−ＭＰ式Ａ（兼），日栄プラステック（株）社製）のヘルメット本体１の外側の面に、チタン酸化物：１５重量％と、雲母：２０％と、アクリル樹脂：４５重量％と、精製水：２０重量％とから成る反射下地塗料（品名：スーパーベース，スーペリアプロダクトインターナショナル社製）を塗布し１時間３０分放置して乾燥させることにより厚さ２５０μｍの反射下地層２を形成した。次いで、この反射下地層２の上面に、難燃剤：６重量％と、チタン酸化物：６重量％と、雲母：１４重量％と、断熱材：２４重量％と、アクリル樹脂：３０重量％と、ポリウレタン樹脂：１０重量％と、精製水：１０重量％とから成る反射断熱塗料（品名：スーパーサーム，スーペリアプロダクトインターナショナル社製）を塗布し７２時間放置して乾燥させることにより厚さ３００μｍの反射断熱層３を形成した。しかる後に、顔料：１１重量％と、脂肪族ウレタン樹脂：４４重量％と、溶剤：４５％とから成る基材（品名：エナモグリップ，スーペリアプロダクトインターナショナル社製）と硬化剤とを基材３：硬化剤１の割合で混合し３０分放置して表面被覆塗料を作製した後に、反射断熱層３の上面にこの表面被覆塗料を塗布し２時間３０分放置して乾燥させることにより厚さ２００μｍの表面被覆層４を形成して、反射断熱性に優れたヘルメットを作製した。
また、比較例１として実施例１に使用した無加工の状態の硬化プラスティック製の白色の作業用ヘルメットを使用した。
【００２２】
この実施例１及び比較例１のヘルメットを同日・同時刻に直射日光が当たる屋外に放置し、それぞれのヘルメットの外側の面の頭頂部、内側の面の頭頂部及び内側の面の頭頂部より１．５ｃｍ下方の内部に温度センサを設置して３０分毎にそれぞれの部位の温度を計測する反射断熱性能試験を行った。この反射断熱性能試験の結果を表１として示すと共に、実施例１及び比較例１のヘルメットの反射断熱性能の差を比較し易いようにそれぞれの部位の温度の計測値をグラフにしたものを図３として示す。尚、表１及び図３においては、外側の面の頭頂部の温度を外側温度と、内側の面の頭頂部の温度を内側温度と、内側の面の頭頂部より１．５ｃｍ下方の内部の温度を内部温度として表示した。
【００２３】
【表１】
2004143646.tif 000003
【００２４】
上記の反射断熱性能試験の結果より、実施例１の外側温度、内側温度及び内部温度は総ての時間帯において比較例１の外側温度、内側温度及び内部温度よりも低いと共に実施例１の外側温度は比較例１の外側温度と比較して平均して１．８℃、最大で３．０℃低く、実施例１の内側温度は比較例１の内側温度と比較して平均して４．７℃、最大で７．２℃低く、また実施例１の内部温度は比較例１の内部温度と比較して平均して４．３℃、最大で７．８℃低いことが判った。この試験結果からも判るように、本発明に係る反射断熱性に優れたヘルメットは従来のヘルメットと比較して、高い反射断熱性を有していると共に、直射日光等によるヘルメットの内側の温度上昇を防止する効果が優れていることが確認できた。
【００２５】
【発明の効果】
以上に詳述した如く、本発明に係る反射断熱性に優れたヘルメットは、ヘルメット本体の少なくとも外側の面に、塗装する際の下地となると共に直射日光等を反射する反射下地層を形成し、その反射下地層の上面に直射日光等を反射すると共にヘルメットの外側の面の熱が内側へ伝導しないように断熱する共重合体から成る反射断熱層を形成し、更にその反射断熱層の上面に反射下地層及び反射断熱層を保護し耐久性を高める表面被覆層を形成したものであるので、直射日光等によるヘルメットの内側の温度上昇を防止することができると共に、塗装の欠けや剥がれ等が生じずに従来の塗装と同等な耐久性を得ることができるのである。
【００２６】
そして、反射下地層の厚さが３０〜５００μｍであったり、反射断熱層の厚さが３０〜４００μｍであったり、表面被覆層の厚さが３０〜３００μｍであったりすれば、確実にヘルメットの内側の温度上昇を防止することができるのである。
【００２７】
このような効果を奏する本発明に係る反射断熱性に優れたヘルメットは、炎天下で作業を行わなければならない作業者や自動二輪車等の運転者とって大きな恩恵をもたらすものである。
【図面の簡単な説明】
【図１】反射断熱性に優れたヘルメットの１実施例の断面説明図である。
【図２】図１のＡ部断面拡大説明図である。
【図３】実施例１及び比較例１のヘルメットの外側の面、内側の面及び内部の温度の変化を示す図である。
【符号の説明】
１　ヘルメット本体
２　反射下地層
３　反射断熱層
４　表面被覆層
【図１】
2004143646.tif 000004
【図２】
2004143646.tif 000005
【図３】
2004143646.tif 000006